(57)【要約】【課題】 間引きや追肥・雑草取りなど本来の作業時間以外に、被覆材開閉に多くの時間と労力が必要となり、適宜適切な管理が苦痛で困難となるが、無農薬等での農作物栽培には、防虫ネット等のトンネル被覆資材は、必需品である反面、重労働のあまり、使用を控える傾向にもある。しかし、それら開閉や設置及び撤去に労力をかけず使用可能な農業用被覆資材であって、防虫・防寒対策資材を提供する。【解決手段】既存の帯体の縁にワイヤ等を通しそれらをトンネルの両端で杭に結束帯等で固定する事で、被覆材全体と縁の固定、設置及び管理時等に簡便に開閉出来る事を可能としたループを設けた被覆材である。【選択図】  図５
2018086015.tif 000002
【特許請求の範囲】
【請求項１】
下記(1)及び(2)からなる組合せ。
(1)防虫や保温などの為に耕作地を被覆する被覆材であって、その被覆材をトンネル支柱等の支柱を用いトンネル状に用いた時、接地部となる被覆材の縁に、その縁やトンネル全体がめくれ、持上る事を防ぐと共に、トンネル全体を固定する為の手段が施されおり、その手段である挿通部に挿通物を通し、トンネル端で被覆材と共に挿通物を固定すれば、トンネル全体の形状保持や縁の固定を可能とする為の手段であるその挿通部を１つ以上の縁に支柱と交差する方向に有する事を特徴とする農業用被覆材。
(2)上記挿通物であって、シース付こう質メッセンジャワイヤ。
【請求項２】
上記挿通部が、ループ又は、筒状等挿通部である請求項1に記載の組合せ。
【請求項３】
その挿通部に通される事なく挿通物を直接取付け、使用する請求項1に記載の組合せ。
【請求項４】
帯体と、この帯体の縁に、トンネルを形成する為の支柱と交差する方向に対し、連続、断続を問わず挿通部を形成し、備えた事を特徴とする農業用被覆材であって、
帯体と、この帯体の縁に設けられたループと、この挿通部に通されたこう線ワイヤの挿通物とを有する被覆資材で耕作地を被覆し、上記ループを接地させて、上記こう線ワイヤの挿通物の重み及び/又は、張力をかける事で上記縁が風等でめくれる事を防止する事を特徴とする、防虫や保温などの為、耕作地を被覆する方法。
【発明の詳細な説明】
【技術分野】
【０００１】
田畑の畝等の耕作地を被覆するネット及びシート等の被覆材に関する。
【背景技術】
【０００２】
防虫ネットや保温シート等のトンネル被覆資材を用いた施工方法として、従来は、谷や畝などの土を掘り、土よせをし、土に埋めこむ事で、固定をしていた。
【発明の概要】
【発明が解決しようとする課題】
【０００３】
間引きや雑草取りなど本来の作業時間以外に、被覆材開閉に多くの時間と労力が要する土への埋め込み作業が必要であり、多少の雑草や害虫を発見した時においても、見て見ないふりをし、適宜適切な管理が苦痛と重労働で困難となる。しかし減農薬や無農薬での農作物栽培には、防虫ネット等のトンネル被覆資材は、必需品であるが、その被覆材開閉が重労働のあまり、防虫剤や殺虫剤および殺菌剤等の農薬剤の散布を行い、被覆資材の使用を控える傾向にある。
【０００４】
特に家庭菜園においては、無農薬栽培が望まれ、被覆資材の使用は必須となる。また、一度にすべての作物を収穫せず、必要とする量の収穫しかしない為、収穫の度に、被覆資材を掘り起し開き、収穫等の作業後に、再び、土に埋め込み閉じなければならなかった。
【０００５】
従来の被覆資材は、固定の為、土に埋めなければならない部分が必要となるが為、被覆資材の幅のすべてが有効に使用出来ない。
【０００６】
土への被覆資材埋め込みが不足した場合、風でめくれその被覆資材で近隣作物を傷めてしまう事や、飛ばされ道路に出ると交通障害となり、また、電線にまきつけば、停電事故を発生させる事となり、それらの原因となっている。
【０００７】
また、風の吹きつけを気にするあまり埋め込み量を多くすると、トンネル内容積の減少や開閉に要する労力と時間が増大し、本来の目的である農作物栽培を補助すべき被覆資材が、目的に反し、邪魔をする資材となる。
【０００８】
また、固定用土として、谷や隣接の畝の土を使う事で、少量多品種栽培を行っている場合にあっては、相性の良くない作物の土が混ざり合う事で起りうる育成障害や、同種を続けて栽培する事で起こる、連作障害等の障害リスクが高まるなど、問題の発生が少なくない。
【０００９】
隣接畝での谷の土に埋め込み使用する場合、被覆材が重なり合ってしまう事から、谷の幅を広くするなど、畝と畝の間隔を広く取らなければならず、耕作の出来ない無駄な空間・間隔が多く出来てしまう。その事により、畝数が制約・制限され耕作量と収量が減少する。
【００１０】
従来の防虫ネット等被覆資材は、本来の作業時間以外に、開閉作業に多くの時間と労力を必要とする為、それら労力削減の為の代用品として、薬剤が用いられる事となるが、薬剤においても、散布のタイミングと、天候や風向き等、多くの制約を受けるとともに、その薬剤散布は、複数回行わなければならず、必要回数のその時間と労力を必要とするだけでなく、その都度、薬剤費用も発生し、必要となる。
【００１１】
また、農作物に害虫が飛来付着すれば、害虫による食害以外にも、病原菌媒介などの飛来害虫に関連する、病害が発生し、被害を受ける事があるだけでなく、時には、壊滅状態になる場合もあり、その為、殺菌剤等の農薬剤の使用も必要となる。
【課題を解決するための手段】
【００１２】
上記課題を解決するためになされた本発明は、帯体と、帯体の両縁に設けられたループを備えた農業用被覆材であり、その帯状被覆材は、好ましくは、ネットであり、あるいは、シート樹脂であってもよく、あるいは、不織布等で、作られた被覆材であってもよい。
【発明の効果】
【００１３】
防虫ネット等トンネル被覆資材を土に埋める事なく気密性を保ち密着固定できる為、従来の様に、土への埋め込み固定や掘りおこし作業の、それらに要する労力と時間が生じない為、大幅に時間短縮が出来る。
【００１４】
これにより、より多くの作物が、減農薬や無農薬栽培においても、害虫の攻撃・被害を受けにくくなるだけでなく、簡便に開閉出来る為、従来使用を控えていた作物でも使用可能となるほか、間引きや追肥・雑草取りなどの適宜、適切な管理が行え、使用範囲も広がる。
【００１５】
特に家庭菜園の場合においては、一度にすべての作物を収穫するのではないので、防虫ネット等の被覆資材を簡便に開閉出来る事は、大切な事で、大きな効力を発揮する。
【００１６】
防虫ネットを用いた場合、基本的には無農薬栽培である為、防虫剤や殺虫剤等の農薬剤購入費用及び、それら散布に関する一切の労力（心労も含む）と時間を、必要としなくなる。
【００１７】
また、最初から防虫ネットを用いれば、大幅に害虫付着を抑制出来る事から、害虫による食害以外に害虫飛来による病原菌媒介に関連する病害からも、作物を守れ、その為、殺虫剤や殺菌剤など農薬剤使用を、控える事が可能となり、基本的に不要となる。
【００１８】
土へ埋め込み固定する必要が生じない為、被覆資材の幅のそのすべてが、地上部で有効的に使用できる。  その為、使用範囲が広がる。
【００１９】
この事で、従来より小さなサイズの被覆資材でも、同じ容積を確保しつつ、確実に固定可能な為、安心して安全に使用できる。  また、被覆資材経費等の削減も可能となる。
【００２０】
強風が予測され、補強固定が必要となれば、ペグ等により簡単に補強固定出来るため、強風が予想させる場合でも、被覆資材を使用し続けられる為、害虫や冷気等にさらされる事がない。
【００２１】
従来の様に土に埋め込まない為、隣接畝の被覆材と重なり合ってしまう事がないだけで無く、畝の間隔を広く取る必要性も無く、耕作の出来ない無駄な用地の必要性もなくなり、畝数を多くとれる、その為同じ面積でもより多くの作物が作れ、収穫量の増量が見込める。
【００２２】
被覆材固定に用土を使用しない為、隣接畝の土が混ざりあう事が、基本的に発生しない為、隣接畝で相性のよくない作物の栽培を行っても、栽培が可能なるなど、制約をうけない。
【図面の簡単な説明】
【００２３】
【図１】本発明の実施形態に係る被覆材が示された平面図である。
【図２】図１の被覆材が示された正面図である。
【図３】本発明の他の実施形態に係る被覆材が示された正面図である。
【図４】本発明の他の実施形態に係る被覆材が示された正面図である。
【図５】図１の被覆材の使用時の正面図（断面図）である。
【図６】図１の被覆材の使用時の側面図である。
【図７】図３及び図４を使用した使用時の正面図（断面図）である。
【図８】従来の土への埋め込み使用時の断面図である。
【発明を実施するための形態】
【００２４】
トンネル栽培用ネット又は保温用シートなどの被覆資材の、図１図２に示す様に帯状形状（長手方向）に沿う両側縁部に、筒状ループ２を２つ備えている。
【００２５】
図１に示す被覆資材の帯状形状（長手方向）の長さは0.5ｍ以上３００ｍ程度のものであって、その幅は0.5ｍから６ｍ位であるが、好ましくは、0.6から2.5ｍ位が一般的である。
【００２６】
図２に示すループ２へワイヤ３等を通し、図６に示す、畝７の両端に杭５をしっかり打ち込み、それに引き留め固定するが、被覆材１の端を束ね結束帯もしくは、結束線等で、その杭５に固定する。それにより被覆材１のトンネル全体の固定が可能となった。その時には、図５、図６に示す様に、畝や谷の土に密着させ気密性を確保する。
【００２７】
図５に示すワイヤ３は、単線あるいは多芯のものでもよいが、好ましくは、シース(被覆）付硬質メッセンジャー（亜鉛メッキ鋼線7本より線）で太さは5.5Sq〜38Sq程度のものを使用すればよいが、8Sq〜14Sqがより好ましく、それにより施工性の向上と気密・密着性や復元性が得られトンネルの防虫や防寒への信頼が増す。
【００２８】
図５の使用例では、ワイヤ３と、しているが、これにかえて、パイプ等で代用してもよい。
【００２９】
図６に示すトンネル支柱６は、竹などで加工したもの、もしくは、市販のもので、その材質は、金属質・木質・樹脂やその他繊維質の一切を問わず、使いやすいものでよい。また、その支柱は0.5ｍから２ｍ位間隔で畝をまたぐ様に立て、そこに本発明の被覆材１をそのトンネル支柱６に被う様にかぶせる。この作業は既存技術の従来製品と、ほぼ違いはないが、図８で示す様に従来製品は、土を掘り図８の１２で示す様に、地中に埋め込んで固定していた。しかし、本発明は、図５に示す様に地中に埋めるところがないが、従来の地中埋め込み固定方式と同等に気密性を保つ事が可能となっただけでなく、それに加え、被覆資材の開閉に要する労力及び時間は、従来製品とは比べ物にならず少なく、極わずかな時間で、簡便に被覆資材の開閉が出来る。その為、収穫時もちろん、雑草取りや追肥・間引き等の管理時にも大きな効力を発揮する。
【００３０】
従来品では、図８の１２で示す様に、土を掘り地中に埋め込んで固定していた。そのため、作業をするためには、一旦、図８の１２で示す埋込み部上部の土をのけ、掘り起さなければ、本来の作業に、とりかかれなかったが、本発明では、図５に示す様に、土へ埋め込まず、地上部のみで使用する為、土をのける作業を必要とせず、縁であるループ２とワイヤ３をめくり上げるだけで各種作業が行える。作業後は、土を掘り、埋め込む作業も必要なく、めくりあげた縁を下ろすだけで、被覆作業が完了する。
【００３１】
栽培地の土に凹凸があり、密着しにくい場合や、風により被覆材１のループ２が浮き上がる様な場合には、適宜、図６に示すペグ１０など杭を打ち、ワイヤ部３及びループ２を押え固定する。これにより、被覆資材のトンネル内容量を減少させることなく、風に対し強くなり、また、被覆材が強風で、はがされなくなるので、作物が無防備に露出する事が防げ、害虫などから作物を守る事ができる。また、風でめくれた被覆資材で近隣作物をたたき傷める事や、風でとび回る事で起こる他の事故も防げる。
【００３２】
図１、図２の被覆材の縁のループ２に、図３、図４に示す様に、スカート８もしくは、９を、取付けてもよい。
【００３３】
図７に示す、スカート８及び、スカート９は、図３の８及び図４の９の実施形態の正面図（断面図）である。このスカート８は、被覆材の縁の本体（ループ）２と、被覆材１との境目付近に、接続しており、図７のスカート８は、本体（ループ）２の畝側より、ワイヤ３の下を通り、畝と逆方向に延ばされた場合の実施形態の正面図（断面図）である。  これは、栽培地が、なだらかでなく、凹凸があり、ループ２及びワイヤ３が、栽培地面に密着しにくい場合、隙間が生じ、その隙間より、害虫侵入や、被覆材１が、保温用シートである場合、冷気が侵入するなどの問題が生じるが、このスカート８及び、スカート９を、備える事により栽培地面との密着性を上げ、気密を保ち、冷気や害虫の侵入をより強く防ぐ働きをする。  図４では、本体(ループ）２の先端部にスカート９が取付けられているが、先端部に限定するものでなく、被覆材の密閉性向上の補助部材として、本体（ループ）２の先端以外からでも、本体（ループ）２に接続されればよい。
【００３４】
図８は、本発明がなされるまでの防虫用ネット等被覆材の一般的な使用例の断面図である。  図８で示す様に従来の被覆材11は、土を掘り、被覆材11に、土をかけ、その重みで被覆材11の縁を、土埋め固定部12とし、固定している。その為、土埋め固定部12となる長さが不十分であったり、被せる土の量が適切でない場合、風で被覆材11が、はぎとられ、被覆材とての役を果さなくなる事が多発する。その為、土埋め固定部12を長くすると、土の量が多くなるなど、固定に要する労力と、時間が増大するが、それだけでなく、被覆材の内容量（有効断面積）も減少する事になる。また、土埋め固定部12の長さは、被覆に使用できない幅となるが、本発明の被覆材は、図８の土埋め固定部12に、該当する部分がない。したがって、従来の被覆材と、本発明の被覆材と同じ幅であるならば、図２の被覆材１及びループ２の幅のほぼすべてが、被覆材の有効幅であり、図５に示す様に土埋めする事なく使用する本発明の被覆材では、内容量（有効断面積）の大きなトンネルができる。そのため大きく育つ作物など、より多くの作物の栽培で使用が可能となった。
【００３５】
従来の被覆材は、多くの場合１人での作業は困難であった、その上、風が少しでも吹けば、よりいっそう困難さが増すが、本発明品は、１人でも被覆作業が可能となるばかりか、多少の風があろうとも、ループ２にワイヤ３を、通し使用するので、その弾性と重みで、作業を行う事が可能となった。
【００３６】
図１の被覆材では、両縁にループ２が設けられているが、両縁の片方になくてもよい。
【００３７】
図２の被覆材では、ループ２に、ワイヤ３が通されているが、ループを使用せず直接被覆材にワイヤ３を取付けてもよい。
【符号の説明】
【００３８】
１   被覆材
２   本体（ループ）
３   ワイヤ
４   中心線（図面上のみ）
５   杭
６   トンネル支柱
７   畝
８    スカート
９    スカート
１０    ペグ
１１    従来の防虫ネット（被覆材）
１２    従来方式での土埋め固定部
【図１】
2018086015.tif 000003
【図２】
2018086015.tif 000004
【図３】
2018086015.tif 000005
【図４】
2018086015.tif 000006
【図５】
2018086015.tif 000007
【図６】
2018086015.tif 000008
【図７】
2018086015.tif 000009
【図８】
2018086015.tif 000010